(57)【要約】【課題】ショ−ケースの天井面を傷つけることなく移動させることができるばかりでなく、販売員の移動や商品購入者を長時間待たせることもなく、かつショーケースの上方の未利用スペースを活用することができる移動台の移動機構を提供することを目的とする。【解決手段】ショ−ケース１００の背面９に上部レール１０および下部レール７を平行に設け、上部レールおよび下部レールと交差する方向に、移動台５を支持する支持棒６を有し、支持棒の上部レールとの第１の交差部２０には、上部レールに当接する第１のローラ１２が設けられ、支持棒の下部レールとの第２の交差部３０には、下部レールに当接する第２のローラ１３、１４、１５が設けられている。【選択図】  図２
0003208171.tif 000002
【実用新案登録請求の範囲】
【請求項１】
ショ−ケースの上方に、移動可能に配置される移動台の移動機構であって、
当該移動台の移動機構は、ショ−ケースの背面に上部レールおよび下部レールを平行に設け、
前記上部レールおよび下部レールと交差する方向に、前記移動台を支持する支持棒を有し、
前記支持棒の前記上部レールとの第１の交差部には、前記上部レールに当接する第１のローラが設けられ、
前記支持棒の前記下部レールとの第２の交差部には、前記下部レールに当接する第２のローラが設けられている
ことを特徴とする移動台の移動機構。
【請求項２】
前記上部レールの断面形状がＣ字型形状または７字型形状を有することを特徴とする前記第１項記載の移動台の移動機構。
【請求項３】
前記下部レールの断面形状がクランク型形状であることを特徴とする請求項１または２に記載の移動台の移動機構。
【請求項４】
前記移動台の下面に前記ショーケースの天井部に当接する第３のローラが設けられていることを特徴とする請求項１〜３の何れかに記載の移動台の移動機構。
【請求項５】
前記第２のローラは、
前記支持棒の下部に設けられて、前記下部レールの水平面に当接する第１の下部ローラと、
前記支持棒の前記ショーケース側に設けられて、前記ショーケースの背面に当接する第２の下部ローラと、
前記支持棒の前記ショーケースの反対側に設けられて、前記下部レールの側面に当接する第３の下部ローラとで構成されていることを特徴とする請求項３または４に記載の移動台の移動機構。
【請求項６】
請求項１〜５の何れかに記載の移動台の移動機構を備えたショ−ケース。
【考案の詳細な説明】
【技術分野】
【０００１】
本考案は、ショーケースの上方に、移動可能に配置される移動台の移動機構およびそれを備えたショーケースに関するものである。
【背景技術】
【０００２】
スーパーマーケット等の施設に配置されるショ−ケースには、前面がガラスで覆われた密閉型と前面が開放されたオープンショ−ケースがあり、両者とも中に陳列する商品の種類に応じて選択使用されることが行われている。一例として、図７に、前面４が曲面ガラスで覆われた密閉型ショーケース１００が例示されており、上部には天井面２を有し、内部には商品陳列用の棚３が設けられている。このような密閉型と共に前面が解放されているオープンショ−ケースが知られている。
【０００３】
これらのショ−ケースを使用する際には、いずれも通常、天井部の上面（天井面）にレジや秤等を載置するか、または別に載置用台をショ−ケースの周囲に置き、その載置用台上にレジや秤等を載置することが多い。
【先行技術文献】
【特許文献】
【０００４】
【特許文献１】特許第３８０２３１７号
【考案の概要】
【考案が解決しようとする課題】
【０００５】
しかしながら、このようなショ−ケースの天井面にレジや秤等を載置する場合、または別に載置用台をショ−ケースの周囲に置き、その載置用台上にレジや秤等を載置して使用する場合は、商品の販売時に秤量し、かつレジで計算する必要があり、そのためにいちいちそれらの場所まで販売員が移動しなければならず、商品購入者を長時間待たせるばかりでなく、作業上時間がかかるという問題があった。
【０００６】
このような中で、ショ−ケースと一体になって天井部を利用する技術は、あまりなく、一例を挙げれば、ショ−ケースの天井部上に広告を取り付けるための広告取り付け装置に係るものがあるが（例えば、特許文献１参照）、この技術は広告を吊るす装置に関するもので、上記問題点を解決するものではなかった。
【０００７】
本考案は、ショ−ケースの天井面を傷つけることなく、レジや秤等を移動させることができるばかりでなく、販売員の移動や商品購入者を長時間待たせることもなく、かつショーケースの上方の未利用スペースを活用することができる移動台の移動機構を提供することを目的とする。
【課題を解決するための手段】
【０００８】
本考案者は、上記の問題点に関して鋭意研究を続けた結果、ショ−ケースの天井面上をレジや秤等を載置した移動台を移動させるようにしたところ、販売員の移動や商品購入者を長時間待たせることもない、画期的な移動台の移動機構を見出した。
【０００９】
上記課題を解決する本考案の第１の態様は、ショ−ケースの上方に、移動可能に配置される移動台の移動機構であって、移動台の移動機構は、ショ−ケースの背面に上部レールおよび下部レールを平行に設け、上部レールおよび下部レールと交差する方向に、移動台を支持する支持棒を有し、支持棒の上部レールとの第１の交差部には、上部レールに当接する第１のローラが設けられ、支持棒の下部レールとの第２の交差部には、下部レールに当接する第２のローラが設けられていることを特徴とする移動台の移動機構にある。
【００１０】
かかる第１の態様では、ショ−ケースの天井面に載置していたレジや秤等を、天井面を傷つけることなく移動させることができるばかりでなく、販売員の移動や商品購入者を長時間待たせることもない。その結果、会計や計量等の作業効率を向上させることができる。
【００１１】
本考案の第２の態様は、上部レールの断面形状がＣ字型形状または７字型形状を有することを特徴とする第１の態様に記載の移動台の移動機構にある。
【００１２】
かかる第２の態様は、ローラが外れることなく支持棒を円滑に移動することができる。
【００１３】
本考案の第３の態様は、下部レールの断面形状がクランク型形状であることを特徴とする第１または第２の態様に記載の移動台の移動機構にある。
【００１４】
かかる第３の態様では、ショ−ケースに堅固にかつ容易に取り付けることができる。
【００１５】
本考案の第４の態様は、移動台の下面にショーケースの天井部に当接する第３のローラが設けられていることを特徴とする第１〜３の何れかの態様に記載の移動台の移動機構にある。
【００１６】
かかる第４の態様では、より荷重の大きなものを移動台に載置することができると共に、支持棒が傾くのを防止することができる。
【００１７】
本考案の第５の態様は、第２のローラは、支持棒の下部に設けられて、下部レールの水平面に当接する第１の下部ローラと、支持棒のショーケース側に設けられて、ショーケースの背面に当接する第２の下部ローラと、支持棒のショーケースの反対側に設けられて、下部レールの側面に当接する第３の下部ローラとで構成されていることを特徴とする第３または第４に記載の移動台の移動機構にある。
【００１８】
かかる第５の態様では、第２の下部ローラおよび第３の下部ローラにより支持棒が傾くのを防止することができ、かつ第１のローラにより支持棒を支持すると共に、レジ等を載せた移動台を容易に移動させることができる。
【００１９】
本考案の第６の態様は、第１〜５の態様の何れかに記載の移動台の移動機構を備えたショ−ケースにある。
【００２０】
かかる第６の態様では、販売員の作業効率を向上させるショ−ケースを提供することができる。
【図面の簡単な説明】
【００２１】
【図１】実施形態１に係る移動台の移動機構を備えたショ−ケースを示す概略背面斜視図である。
【図２】図１に記載のＡ方向から見た際のショ−ケースの概略断面図である。
【図３】図２の第１の交差部の拡大概略断面図である。
【図４】実施形態１に係る金具の概略図である。ａは側面図であり、ｂは上面図である。
【図５】実施形態１に係る金具を示す図面であり、aは金具の概略側面図であり、bは金具の概略上面図である。
【図６】実施形態１に係る下部レールを示す図面であり、ａは断面クランク型形状の下部レールを示す部分概略斜視図であり、ｂは断面クランク型形状の上端が内側に曲がった下部レールを示す部分概略斜視図である。
【図７】従来公知のショ−ケースを示す概略正面斜視図である。
【考案を実施するための形態】
【００２２】
以下添付図面を参照して、本考案に係る移動台の移動機構の実施形態について説明する。なお、本考案は、以下の実施形態に限定されるものではなく、これらに関連した周知の構成をも含むものである。
【００２３】
図１は、本考案に係る移動台の移動機構を備えたショ−ケースを示す概略背面斜視図であり、図２は、図１に示すＡ方向から見た際のショ−ケース１００の概略断面図である。図１および図２に示すように、ショ−ケース１００は、上方に位置する天井面２と、一部が曲面を有するガラスで構成された前面４と、垂直面で構成された背面９とを備えた筐体を有する。
【００２４】
ショーケース１００の背面９の上部には上部レール１０が水平方向に取り付けられると共に、下部には下部レール７が水平方向に取り付けられている。すなわち、ショーケース１００の背面９には、上部レール１０および下部レール７が水平方向に平行に設けられている。上部レール１０および下部レール７の長手方向の長さは略同一で、ショーケース１００の幅方向の長さより短くなっている。ショ−ケース１００の背面９への上部レール１０および下部レール７の取り付け方法は特に限定されず、ねじで固定してもよいし、接着剤等で接着固定してもよい。
【００２５】
上部レール１０および下部レール７には、これらと垂直に交叉するように矩形状の断面を有する支持棒６が取り付けられている。支持棒６の上部には、上部レール１０と交差する第１の交差部２０が設けられ、支持棒の下端部には、下部レール７とが交差する第２の交差部３０が設けられている。支持棒６の長さは、下部レール７とショーケース１００の天井面２との距離よりも長くなっている。
【００２６】
支持棒６の上端部には、矩形状の移動台５が水平になるように、移動台５が取り付けられ、移動台５上にレジや秤等を載置できるようになっている。移動台５の長手方向の長さは、移動台５の長手方向端部に支持棒６に取り付けられた際に、移動台５の他方の長手方向端部が略天井面２の幅に収まるようになっている。なお、支持棒６への移動台５の取り付け方法は特に限定されず、ねじで固定してもよいし、接着剤等で接着固定してもよい。
【００２７】
移動台５の長手方向に直交する短手方向の長さは、支持棒６に取り付けられた状態で、移動台５を上部レール１０および下部レール７の端部に水平移動させた際に、対応するショーケース１００の端部より外側に突出しないような長さになっている。
【００２８】
次に、第１の交差部２０について詳細に説明する。図３は第１の交差部の拡大概略断面図であり、図４は交差部２０を構成する金具の概略図である。図３および図４に示すように、上部レール１０の断面はＣ字型形状になっており、そのＣ字型形状の開口部の両先端部には対向する方向に屈曲した屈曲部１９ａ、１９ｂが形成されている。
【００２９】
一方、支持棒６の第１の交差部２０には、上部レール１０側にL字型状に延出する係合部１８を有する矩形状の金具１６が支持棒６に固定されている。また、金具１６の係合部１８の下側には、第１のローラであるローラ１２が取り付けられており、係合部１８と上部レール１０の上側の屈曲部１９ａとが係合すると共に、ローラ１２がＣ字型状の凹部に当接できるようになっている。なお、ローラ１２の取り付け方法は特に限定されず、ねじで固定してもよいし、接着剤等で接着固定してもよい。
【００３０】
このように第１の交差部２０を構成することにより、係合部１８と上部レール１０の上側の屈曲部１９ａとにより、支持棒６は上部レール１０から外れることがなく、かつローラ１２によって支持棒６を上部レール１０に沿ってスムーズに移動させることができる。
【００３１】
なお、本実施形態では、上部レール１０として、図５ａに示すように断面がＣ字型状のものを用いたが、図５ｂに示すように断面が７字型状のものを用いても同様の効果（第１の交差部２０が下方に外れるのを防止することができると共に移動台にかかる荷重を分散させることができるという効果を除く。）が得られるのは明らかである。
【００３２】
さらに、第２の交差部３０について詳細に説明する。図６は下部レール７の部分概略斜視図である。図２および図６ａに示すように、下部レール７の断面はクランク型形状になっており、水平面７１と、垂直面７２が形成されている。
【００３３】
一方、支持棒６の第２の交差部３０には、図２に示すように、支持棒６の下側と、ショーケース１００に取り付けられた際のショーケース側と、ショーケース１００の反対側とにそれぞれローラ１３、１４、１５が取り付けられている。すなわち、支持棒６の第２の交差部３０には、第２のローラである３つのローラ１３、１４、１５が、下部レール７の水平面７１と、ショーケース１００の背面９と、下部レール７の垂直面７２（側面）にそれぞれ当接できるように取り付けられている。なお、ローラ１３、１４、１５の取り付け方法は特に限定されず、ねじで固定してもよいし、接着剤等で接着固定してもよい。
【００３４】
このように第２の交差部３０を構成することにより、移動台５にレジ等が載置された場合等のように、支持棒６の第２の交差部３０にショーケースの反対側方向に荷重がかっていても移動台５をスムーズに移動させることができ、またそのような荷重がかかっていなくても移動台５をスムーズに移動させることができる。
【００３５】
なお、本実施形態では、下部レール７として、図６ａに示すように、断面がクランク型形状のものを用いたが、図６ｂに示すように、ショーケース１００に取り付けられた際に、上側端部にショーケース１００の方向に屈曲した屈曲部７９が設けられたものを用いてもよい。このような形状の下部レール７を用いることにより、支持棒６が何らかの影響で上方に持ち上げられたとしても、下部レール７の屈曲部７９とローラ１５とが係合して下部レール７から支持棒６が外れることを防止することができる。
【００３６】
なお、本実施形態に係る移動台の移動機構１を構成する支持棒６、移動台５やローラ１２、１３、１４、１５等は、上記のような形状等（断面形状は限定されない。）を有し、移動台５上にレジ等を載置した際にかかる荷重に耐えることができるものであれば特に限定されず、市販されているものを用いてもよい。
（実施形態２）
【００３７】
実施形態１では、移動台には支持棒以外に何も取り付けられていなかったが、本考案はこれに限定されない。たとえば、移動台の下面に、ショーケースの天井面に当接することができる第３のローラをさらに取り付けてもよい。
【００３８】
このように移動台の移動機構を構成することにより、移動台に大きな荷重がかかるものを載置したとしても、その荷重の一部をショーケースの天井面に逃がすことができるので、より荷重の大きなものを移動台に載置することができると共に、支持棒の傾きを防止することができる。
（実施形態３）
上述した実施形態では、第２の交差部には、３つのローラを取り付けるようにしたが、本考案はこれに限定されない。たとえば、実施形態１に係る移動台の移動機構から、ローラ１４（ショーケース側に取り付けられるローラ）を取り除いて、移動台の移動機構を構成してもよい。
（他の実施形態）
【００３９】
実施形態１では、支持棒を移動台の長手方向端部に取り付けるようにしたが、本考案はこれに限定されない。たとえば、支持棒を移動台の重心に取り付けるようにしてもよい。すなわち、移動台の長手方向の幅をショーケースの天井面の幅よりも大きく（移動台がショーケースの背面側に延出するように）してもよい。このように移動台の移動機構を構成しても、同様の効果が得られる。
【００４０】
また、上述した実施形態では、上部レールおよび下部レールと直交するように支持棒が取り付けられていたが、本考案はこれに限定されない。例えば、上部レールおよび下部レールと所定の角度（直交以外）をなすように支持棒を取り付けてもよい。
【符号の説明】
【００４１】
１  移動台の移動機構
２  天井面
３  棚
４  前面
５  移動台
６  支持棒
７  下部レール
９  背部
１０  上部レール
１２、１３、１４、１５  ローラ
１６  金具
１８  係合部
１９ａ、１９ｂ、７９  屈曲部
２０  第１の交差部
３０  第２の交差部
７１  水平面
７２  垂直面
１００  ショ−ケース
【図１】
0003208171.tif 000003
【図２】
0003208171.tif 000004
【図３】
0003208171.tif 000005
【図４】
0003208171.tif 000006
【図５】
0003208171.tif 000007
【図６】
0003208171.tif 000008
【図７】
0003208171.tif 000009